(57)【要約】【課題】  流体を排出するシステムが気泡を残さずに充填されることを保証する配置、かかる配置を備える装置、およびかかる配置を駆動するための方法を提供する。【解決手段】  本発明は、少なくとも１つの流体を排出するためのシステム（流体排出システム５）を、気泡を残さずに流体で充填するための微細構造配置に関する。該配置は、流体を輸送するためのシステム（流体輸送システム９）と該配置を結合するための流入部２と、少なくとも１つの、流体排出システム５と該配置とを結合するための排出部４とを有する。該配置は、流体が流入部２から少なくとも１つの排出部４にまで輸送されるとき通過する移行領域３を有する。該移行領域３の始部には、毛細管力が高くなった部位６を生じさせるための第１の微細構造要素が設けられ、毛細管力が高くなった部位を限定する面、特に、側壁面、蓋面、および／または底面を隙間なく濡らす。【選択図】      図１
2005177754.tif 000002
【特許請求の範囲】
【請求項１】
流体を誘導するための少なくとも１つのシステム（流体排出システム（５））を、気泡を残さずに流体で充填するための微細構造配置において、
該配置を流体を輸送するためのシステム（流体輸送システム（９））と結合するための流入部（２）と、
該配置を該少なくとも１つの流体排出システム（５）と結合するための排出部（４）と、
流体が流入部（２）から少なくとも１つの排出部（４）にまで輸送されるとき通過する移行領域（３）とを有し、
該移行領域（３）の始部には、毛細管力が高くなった部位（６）を生じさせるための少なくとも１つの第1の微細構造要素が設けられ、この毛細管力が高くなった部位を限定する面、特に、側壁面、蓋面、および／または底面を隙間なく濡らし、移行領域（３）の始部から移行領域（３）の終部まで、すなわち排出部まで、毛細管力に基づいて移動する流体メニスカスを生じさせることを特徴とする微細構造配置。
【請求項２】
流入部と移行領域との間には、流入部を介して導かれる流体を捕集するための領域（捕集領域（１０））が設けられることを特徴とする、請求項１記載の配置。
【請求項３】
捕集領域は毛細管力が高くなった部位を介して、および毛細管ストップ（１１）を介して移行領域から切り離されることを特徴とする請求項２に記載の配置。
【請求項４】
捕集領域（１０）がほぼ完全に移行領域（３）によって囲まれていることを特徴とする、請求項２または３に記載の配置。
【請求項５】
捕集領域（１０）は実質的に円形の底面を有することを特徴とする、請求項２〜４のいずれか１項に記載の配置。
【請求項６】
捕集領域（１０）の底面の中心に流入部（２）を設けることを特徴とする、請求項５に記載の配置。
【請求項７】
移行領域（３）は、実質的に環状に形成されることを特徴とする、請求項１〜６のいずれか１項に記載の配置。
【請求項８】
毛細管ストップ（１１）は、捕集領域と移行領域との間の段部として形成されることを特徴とする、請求項３〜７のいずれか１項に記載の配置。
【請求項９】
捕集領域（１０）は、移行領域（３）に対して高くされることを特徴とする、請求項８記載の配置。
【請求項１０】
移行領域（３）は捕集領域に対して高くされることを特徴とする、請求項８記載の配置。
【請求項１１】
各流体排出システム（５）に結合するための排出部（４）が、移行領域（３）の始部と少なくとも１つの終部との間に設けられることを特徴とする、請求項１〜１０のいずれか１項に記載の配置。
【請求項１２】
各流体排出システム（５）に結合するための各排出部（４）が移行領域の終部に設けられることを特徴とする、請求項１〜１１のいずれか１項に記載の配置。
【請求項１３】
流入部（２）と排出部（４）とは、互いに０°〜１８０°異なる配向方向を有することを特徴とする、請求項１〜１１のいずれか１項に記載の配置。
【請求項１４】
流入部（２）と排出部（４）は互いにおよそ９０°異なる配向方向を有することを特徴とする、請求項１３に記載の配置。
【請求項１５】
移行領域（３）は、始部と少なくとも１つの排出部との間に設けられる、少なくとも１つの第２の微細構造要素を有することを特徴とする、請求項１〜１４のいずれか１項に記載の配置。
【請求項１６】
第１および／または第２微細構造要素は、傾斜路であることを特徴とする、請求項１〜１５のいずれか１項に記載の配置。
【請求項１７】
第１および／または第２微細構造要素は、段状であることを特徴とする、請求項１５に記載の配置。
【請求項１８】
第１および／または第２微細構造要素は、少なくとも１つの柱状部であることを特徴とする、請求項１５に記載の配置。
【請求項１９】
第１および／または第２微細構造要素は、少なくとも１つのノッチであることを特徴とする、請求項１５に記載の配置。
【請求項２０】
流体を輸送するためのシステム（流体輸送システム（９））および流体排出のためのシステム（流体排出システム（５））を備える微細構造装置において、請求項１〜１９のいずれか１項に従った配置を有することを特徴とする微細構造装置。
【請求項２１】
流体輸送システムは流路（９）であることを特徴とする、請求項２０に記載の装置。
【請求項２２】
流体排出システムは流路（５）であることを特徴とする、請求項２０または２１に記載の装置。
【請求項２３】
移行領域（３）はチャンバであることを特徴とする、請求項２０または２１に記載の装置。
【請求項２４】
移行領域（３）と捕集領域（１０）はチャンバの一部を形成することを特徴とする、請求項２０または２１に記載の装置。
【請求項２５】
請求項１〜１９のいずれか１項に記載の配置を備える、流体を排出するためのシステム（流体排出システム（５））を充填するための方法において、
移行領域（３）内への流入部（２）を介して流体が充填され、
次いで、流体が毛細管力の高くなった部位（６）を隙間なく濡らし、
毛細管力の高くなった部位（６）から、移行領域が流体で充填され、
排出部（４）を介して流体排出システム（５）内に流体が誘導される、
ことを特徴とする方法。
【請求項２６】
輸送領域（３）を通って流入部（２）から排出部（４）まで輸送する際の流体の輸送方向は約９０°変えられることを特徴とする請求項２５に記載の方法。
【発明の詳細な説明】
【技術分野】
【０００１】
本発明は、流体を誘導するための少なくとも１つのシステム（流体排出システム）を気泡を残さずに流体で充填するための微細構造配置に関する。さらにまた、本発明は、配置を備える装置、およびかかる配置を備える流体を誘導するためのシステムを充填するための方法に関する。
【背景技術】
【０００２】
微細構造システムにおける毛細管力に基づいて流体を輸送する場合には、輸送経路における気泡の問題が常にある。これらの問題は、所望の流体輸送の妨げになる、または妨害することさえあり得る。気泡は流体の向きを逆転させたときに、たとえば流路が９０°方向を変えた場合にしばしば形成される。角部領域にあるエッジのために、流体によってこの角部領域が完全には濡れず、角部領域が流体によって完全に濡れる前に、流体が９０°曲がった流路部（流体排出システム）に侵入するという結果をもたらすことになる。次いで流体が、角部領域に形成された気泡のところを通って流れ、９０°曲がった流路部に侵入する。しかし、角部領域にある気泡は、さらに角部領域から離れ、９０°曲がった流路部分の前の、すなわち流体排出システムの前の詰め物として機能する。したがって、続く流体の輸送が阻止される、または少なくとも妨げられる。
【０００３】
流体を、種々の流体排出システムに分岐部を介して誘導すべきとき、同様のことが生じ得る。この場合も、全流体排出システムを濡らして、流体で充填する前に、分岐部が流体で完全に充填され、分岐部に気泡がまったくできないという保証はない。
【０００４】
特許文献１から、流体の研究のための微細構造プラットフォームが公知であり、かかるプラットフォームにおいては、各空隙部が毛細管力によって流体で充填される。したがって、たとえば特許文献１の図４に、流路４５０を介して充填されるチャンバ１３０が示される。チャンバ１３０は、比較的大きな深さを有し、給液路はチャンバ蓋の直下に通じて開口し、その開口部は小さい断面を有する。開口部には、給液路の小さい断面からチャンバの大きな断面にいたる急峻な移行領域があり、該移行領域は流体の輸送が中断する毛細管ストップとして機能する。しかしながら、流体輸送を中断させないで、チャンバの充填を給液路を介して可能とするために、給液路の開口部からチャンバ側壁におけるチャンバ底部まで延びるノッチ４４０が設けられている。該ノッチでは毛細管力が高くなり、結果として、給液路を介して導かれた流体がノッチに沿ってチャンバ底部まで送られる。ノッチは流体をこのようにチャンバ底部まで導き、次いで流体はチャンバ底部からチャンバ内に上昇する。チャンバが流体で完全に充填される前に、流入部４１０に対するチャンバの排出部が濡れ、流体がチャンバ１３０から排出される。しかしながら、チャンバ１３０内に空気が閉じ込められるが、これが好ましくない問題である。
【０００５】
特許文献２の図５および図７から類似のノッチが公知であり、該図では流入溝として示され、かかるノッチは、特許文献１におけるノッチと同様の目的を達成する。
【０００６】
さらにまた、特許文献１にはカスケード構造およびバタフライ構造が記載され、これらは流体流を均一な速度で流れる流体層（または反対に、均一な共に導かれる広い流体流）に広げることを可能とする。しかしながら、これらのカスケード構造およびバタフライ構造は続くチャンバを気泡を作らずに充填することが保証されない。むしろチャンバそのものに、エッジ流を先行させて気泡の閉じ込めを阻止する遅延構造をエッジに設けることが必要である。
【０００７】
【特許文献１】欧州特許出願公開第１２０１３０４号明細書
【特許文献２】国際公開第９９／４６０４５号パンフレット
【発明の開示】
【発明が解決しようとする課題】
【０００８】
本発明の目的は、流体を排出するシステムが気泡を残さずに充填されることを保証する配置、かかる配置を備える装置、およびかかる配置を駆動するための方法を提供することである。
【課題を解決するための手段】
【０００９】
これらの課題は請求項１に従う配置、請求項２１に従う装置、および請求項２５に従う方法によって解決される。本発明の好適な実施の形態は前記請求項に従属する下位の請求項に記載される。
【００１０】
さらに詳しくは、本発明は、流体を誘導するための少なくとも１つのシステム（流体排出システム（５））を、気泡を残さずに流体で充填するための微細構造配置において、
該配置を流体を輸送するためのシステム（流体輸送システム（９））と結合するための流入部（２）と、
該配置を該少なくとも１つの流体排出システム（５）と結合するための排出部（４）と、
流体が流入部（２）から少なくとも１つの排出部（４）にまで輸送されるとき通過する移行領域（３）とを有し、
該移行領域（３）の始部には、毛細管力が高くなった部位（６）を生じさせるための少なくとも１つの第1の微細構造要素が設けられ、この毛細管力が高くなった部位を限定する面、特に、側壁面、蓋面、および／または底面を隙間なく濡らし、移行領域（３）の始部から移行領域（３）の終部まで、すなわち排出部まで、毛細管力に基づいて移動する流体メニスカスを生じさせることを特徴とする微細構造配置である。
【００１１】
本発明において、流入部と移行領域との間には、流入部を介して導かれる流体を捕集するための領域（捕集領域）が設けられることを特徴とする。
【００１２】
本発明において、捕集領域は毛細管力が高くなった部位を介して、および毛細管ストップを介して移行領域から切り離されることを特徴とする。
【００１３】
本発明において、捕集領域がほぼ完全に移行領域によって囲まれていることを特徴とする。
【００１４】
本発明において、捕集領域は実質的に円形の底面を有することを特徴とする。
本発明において、捕集領域の底面の中心に流入部を設けることを特徴とする。
本発明において、移行領域は、実質的に環状に形成されることを特徴とする。
【００１５】
本発明において、毛細管ストップは、捕集領域と移行領域との間の段部として形成されることを特徴とする。
本発明において、捕集領域は、移行領域に対して高くされることを特徴とする。
【００１６】
本発明において、移行領域は捕集領域に対して高くされることを特徴とする。
本発明において、各流体排出システムに結合するための排出部が、移行領域の始部と少なくとも１つの終部との間に設けられることを特徴とする。
【００１７】
本発明において、各流体排出システムに結合するための各排出部が移行領域の終部に設けられることを特徴とする。
【００１８】
本発明において、流入部と排出部とは、互いに０°〜１８０°異なる配向方向を有することを特徴とする。
【００１９】
本発明において、流入部と排出部は互いにおよそ９０°異なる配向方向を有することを特徴とする。
【００２０】
本発明において、移行領域は、始部と少なくとも１つの排出部との間に設けられる、少なくとも１つの第２の微細構造要素を有することを特徴とする。
【００２１】
本発明において、第１および／または第２微細構造要素は、傾斜路であることを特徴とする。
【００２２】
本発明において、第１および／または第２微細構造要素は、段状であることを特徴とする。
【００２３】
本発明において、第１および／または第２微細構造要素は、少なくとも１つの柱状部であることを特徴とする。
【００２４】
本発明において、第１および／または第２微細構造要素は、少なくとも１つのノッチであることを特徴とする。
【００２５】
本発明は、流体を輸送するためのシステム（流体輸送システム）および流体排出のためのシステム（流体排出システム）を備える微細構造装置において、請求項１〜１９のいずれか１項に従った配置を有することを特徴とする微細構造装置。
【００２６】
本発明において、流体輸送システムは流路であることを特徴とする。
本発明において、流体排出システムは流路であることを特徴とする。
【００２７】
本発明において、移行領域はチャンバであることを特徴とする。
本発明において、移行領域と捕集領域はチャンバの一部を形成することを特徴とする。
【００２８】
本発明は、請求項１〜１９のいずれか１項に記載の配置を備える、流体を排出するためのシステム（流体排出システム（５））を充填するための方法において、
移行領域（３）内への流入部（２）を介して流体が充填され、
次いで、流体が毛細管力の高くなった部位（６）を隙間なく濡らし、
毛細管力の高くなった部位（６）から、移行領域が流体で充填され、
排出部（４）を介して流体排出システム（５）内に流体が誘導される、
ことを特徴とする方法である。
【００２９】
本発明において、輸送領域を通って流入部から排出部まで輸送する際の流体の輸送方向は約９０°変えられることを特徴とする。
【発明の効果】
【００３０】
流体を排出する少なくとも１つのシステムを、気泡を残さずに流体で充填するための本発明に従う微細構造装置は、流体を流入させるためのシステム（流体輸送システム）と微細構造装置とを結合するための流入部が設けられる。この配置はさらに、この配置を少なくとも１つの流体排出システムと結合するための少なくとも１つの排出部を有し、この配置は、流体が流入部から少なくとも１つの排出部にまで輸送されるとき通過する移行領域を有する。この移行領域の始部には、毛細管力が高くなった部位を生じさせるための、少なくとも１つの第1の微細構造要素が設けられ、毛細管力が高くなった部位を限定する面、特に、側壁面、蓋面、および／または底面を隙間なく濡らす。
【００３１】
移行領域始部を完全に濡らすことによって、移行領域始部に気泡を形成させないことを可能とする。移行領域始部から、作用している毛細管力に基づいて、流体メニスカスが移行領域終部まで、すなわち配置の排出部まで移動する。その際気泡が閉じ込められることはない。したがって、流体は移行領域を介して気泡を形成することなく輸送される、排出部に接続した流体排出システムの気泡のない充填が保証される。流体の充填の前に移行領域に含まれる空気は排出方向に流体を押すことによって流体排出システムへと押し進められる。
【００３２】
有利なことに、移行領域は始部から終部まで均一な断面積を有し、急な変化、エッジなどはない。
【００３３】
本発明に従う配置においては、流入部と移行領域との間に、流入部を介して供給される流体を捕集するための領域が配置されている。この捕集領域は毛細管力が高くなった部位を介して、および毛細管ストップを介して残りの移行領域から切り離すことが可能である。この毛細管ストップは、毛細管力が高くなった部位が流体によって濡らされ、作用する毛細管力に基づき流体が移行領域に沿って輸送された後に、徐々に濡らすことが可能であり、したがって捕集領域と残りの移行領域との間で毛細管ストップが終結する。本発明に従えば、捕集領域は略完全に移行領域によって囲むことが可能である。
【００３４】
捕集領域は実質的に円形の底面を有し、捕集領域底面の中心に該配置の流入部を設けることが可能である。
【００３５】
流入部と流出部との間の移行領域は、本発明に従う配置においては、実質的に環状に形成することが可能である。特に、捕集領域が実質的に円形の底面を有する場合がこれにあたる。
【００３６】
捕集領域と移行領域との間に形成可能な毛細管ストップは、本発明に従えば、段部によって形成可能である。流体は段部縁にまで侵入し、対抗する毛細管力のために段部を乗り越えることができない。段部は、流体が他方側から段部に達し、段部を濡らすときにはじめて乗り越えられる。捕集領域と移行領域との間に段部として形成される毛細管ストップは、一方では、移行領域より高くなった捕集領域によって、または他方では、捕集領域より高くなった移行領域によって形成することが可能である。
【００３７】
本発明に従う配置は、該配置を流体排出システムに結合するための少なくとも１つの排出部、好適には複数の排出部を有する。これらの排出部は好適には移行領域の始部と少なくとも１つの終部との間に設けられる。本発明に従う配置は、該配置を流体排出システムに結合するための排出部が移行領域の一方端部または両端部に設けられるように実施される。
【００３８】
流入部および流出部、および特に、流入部と排出部に続く流体を誘導する、または流体を排出するシステムは、互いに０°〜１８０°異なる方向に向けることが可能である。特に、流入部および排出部は互いにおよそ９０°異なる方向に向けることが可能である。
【００３９】
本発明に従う配置の移行領域は、特別な実施の形態において始部と排出部の少なくとも１つとの間に少なくとも１つの第２の微細構造要素を設けることが可能である。この第２の微細構造要素またはこれらの第２の微細構造要素は、移行領域を通る始部から排出部までの流体の輸送を加速することが可能である。
【００４０】
本発明に従えば、第１および／または第２の微細構造要素は、傾斜路であることが可能である。また、第１および／または第２の微細構造要素は段状であってもよい。第１および／または第２の微細構造要素は少なくとも１つのカラム（柱状体）または少なくとも１つのノッチであってもよい。
【００４１】
本発明に従う、流体誘導のためのシステム（流体輸送システム）および流体排出のためのシステム（流体排出システム）を備える微細構造装置は、上述のような配置を有することが可能である。この装置の流体輸送システムは流体排出システムのように、流路であってもよい。移行領域はチャンバとして形成することが可能である。また、本発明に従う装置の移行領域と捕集領域はチャンバの一部を形成することも可能である。
【発明を実施するための最良の形態】
【００４２】
本発明の実施の形態を図面を参照し詳細に説明する。
図面に示した本発明に従う装置１ａ〜１ｄは、少なくともそれらの機能において互いに対応する特徴を一部有する。異なる装置の互いに機能において対応する特徴は、同じ参照符号で示される。
【００４３】
図１および図２において示される第１の装置１ａは本体部７を有し、該本体部７には、凹部が設けられている。この凹部は移行領域３を形成している。移行領域３から流路が延び、これが流体排出システム５を形成している。この流体排出システム５は排出部４を介して、移行領域３に続く。移行領域３は２つの部分に分割することが可能である。第１の、排出部４からそれていく部分は第１の柱状微細構造を示す。この領域は毛細管力が高くなった部位６を形成する。もう一方の排出部４に向けられる部分は、特別な微細構造のないものに形成される。蓋８は、流体の移行領域３への充填に介される流入部２が、部位６の領域において拘束を受けないように、移行領域３と流体排出システム５とを覆う。毛細管力が高くなった部位６の第１の微細構造要素を形成する柱部は、流入部２を介して移行領域３に充填される流体を、次いで毛細管力が高くなった部位６に完全にとどまらせる。流体は、この部位６と、移行領域のこの部位を限定する平面が、たとえば蓋８の下側、移行領域３の側壁および移行領域３の底面が濡れるまでは、流体は部位６を介して流出しない。部位６を完全に隙間なく濡れると速やかに、すなわち、部位６に空気が全く存在しなくなると速やかに、さらに流入部２を介して導き入れられる流体によって、移行領域の排出部４に向けられた部分に流体が入り込むよう配慮している。移行領域３の排出部４に向けられたこの部分を濡らすことは、蓋８の下側および移行領域の側壁と底面とによって形成される境界面に沿って行われる。この境界面に沿って濡らすことは、移行領域の排出部４に向けられる部分にある空気が排出部４を介して移行領域から押し出されて、流体排出システム５を介して移行領域３から流れ出ることを配慮している。移行領域３が流体で完全に充填されると速やかに、流体は排出部４を介して流体排出システムに入り込む。移行領域３における流体の振る舞いを改善するために、および、特に流体の輸送を加速するために、第２の微細構造としての、移行領域３の排出部４に向けられた部分に、排出部４に対する移行領域３の底部のレベルを流体排出システム５のレベルにまで上げる傾斜路１２を設けることが可能である。それから先は、全移行領域３は排出部への方向において円錐形に延びることが可能であり、したがって排出部４では、移行領域３から流体排出システム５まで不連続な断面積の関係が生じない。
【００４４】
本発明に従う第１の装置１ａに流入部２を介して充填される流体は、流体輸送システムとして機能するピペットまたは類似の物を介して導入される。
【００４５】
図３および図４に示す本発明に従う第２の装置１ｂも本体部７を有し、該本体部７には、凹所が設けられ、該凹所が移行領域３を形成している。移行領域３は流入部２を有し、該流入部において流路として実施される流体輸送システム９が移行領域３内に通じている。移行領域３はさらに流出部４を有し、そこから、流路として実施される流体排出システム５が延びる。排出部４は、移行領域３の側部境界面であって、流入部２に対抗する移行領域３の終部に設けられている。本体部７と完全な移行領域３と流体排出システム５とは蓋８で覆われる。
【００４６】
流入部２の領域における移行領域３の始部には、毛細管力が高くなった部位が設けられている。この部位６は、ノッチによって形成され、流体輸送システム９から流れ込む流体が、部位６における高くなった毛細管力によって部位６をまず濡らし、そこから、移行領域３が、側部境界面と蓋８の下側と移行領域の底面とに沿って濡らされる。流体メニスカスは、高くなった毛細管力によって、流入部２から毛細管力の高くなった部位６を介し、移行領域３に沿って排出部４まで移動し、まず移行領域３に含まれるガスを排出部４に押す。このようにして、流体輸送システム９から部位６と残りの移行領域３とを介し、流体排出システム５への排出部４までの流れが発生し、移行領域３と流体排出システムとの内部における気泡の形成が防止される。したがって、気泡が装置内に形成されることなく、たとえば、流体流の向きを９０°変えることが可能である。
【００４７】
さらにまた、流体流の向きを９０°より少なくまたは多く変えることも特定の配置によって可能であり、広い幅の前部にある流体メニスカスが移行領域を通って移動し、壁面または側部境界面、蓋８の下側、および移行領域の底面を気泡を生じさせずに濡らし、まず移行領域３に含まれる空気が流体排出システム５内に押し出され、したがって移行領域３または流体排出システム５に気泡が残らない。
【００４８】
図５〜図８に示される本発明に従う第３の装置１ｃは、実質的に円柱状の本体部７を有する。この本体部７は、中心部が中空であって、かかる中空部が流体輸送システム９を形成し、チャンバ内への流入部２に続き、チャンバは捕集領域１０と捕集領域１０を囲む移行領域３とによって形成される。チャンバは、本体部７の前面上の凹所と形成され、捕集領域１０は、流入部２を完全に囲んで、流入部２に直接つながっている。移行領域３は、段部によって形成される毛細管ストップ１１によって、捕集領域１０に接続する。段部は捕集領域１０が移行領域３よりも高くなるように形成される。
【００４９】
移行領域３は、実質的に環状に捕集領域１０を囲み、この環は移行領域始部と終部との間に中断部を有する。移行領域３の始部と終部とは、突出部によって互いに分離され、この突出部が、実質的に環状の移行領域３の中断部を形成する。
【００５０】
移行領域３の始部と移行領域３の終部との間に移行領域から外側へと放射方向に流路が分岐し、これが流体排出システム５を形成する。この流体排出システム５は排出部４を介し移行領域３と結合する。
【００５１】
捕集領域３の始部は毛細管力が高くなった部位６を有する。この毛細管力が高くなった部位６は、ノッチによって形成され、捕集領域１０と移行領域３との間の毛細管ストップ１１に接続する。このノッチは、本装置の第１の微細構造要素を示し、これによって、流入部２を介し捕集領域１０に流れ込む流体は、高くなった毛細管力によって移行領域３の始部にまで引き込まれる。さらに、毛細管力が高くなった部位６によって、流体がさらに移行領域３に押し寄せる前に、移行領域３の始部は、隙間なく完全に流体によって濡れる。
【００５２】
移行領域３の始部は、隙間なく完全に流体によって濡れた後、さらに移行領域３に作用する毛細管力によって、流体は移行領域に沿って輸送され、毛細管ストップ１１を形成する段部が濡れ、それによって毛細管ストップ１１が終わりとなる。流体は移行領域３に沿って移動し、排出部４を濡らし、したがって流体が流体排出システム５内に入り込むことが可能となる。移行領域３に存在する空気は、流出部４と流体排出システムを介して、移行領域３から、または捕集領域１０からも排出される。したがって、移行領域３にも、捕集領域１０にも気泡は残らない。したがって、流体排出システム５の気泡のない充填が可能となる。
【００５３】
図９〜図１２に示す本発明に従う装置１ｄの第４の実施の形態は、実質的に、図５〜図８に従う第３の実施の形態の構成に対応する。第３の実施の形態の装置１ｃと第４の実施の形態の装置１ｄとの相違点は、実質的に、第４の実施の形態の装置１ｄにおいては、実質的に環状の移行領域３よりも捕集領域１０の方が深いところにある。すなわち、移行領域３は捕集領域１０よりも高くなっている。捕集領域１０と移行領域３との間の段部が毛細管ストップ１１を形成し、該毛細管ストップ１１が、流体の補修領域１から移行領域３内への毛細管力のみによる流入を阻止する。例外は、移行領域３の始部にあり、毛細管力が高くなった部位６である。部位６のために、移行領域３の始部が濡れる。毛細管力が高くなった部位６は第１の微細構造要素によって形成され、該微細構造は、捕集領域１０と移行領域３との間の毛細管ストップ１１に接続するノッチを通過している。毛細管力が高くなった部位６のために、まず、移行領域の始部だけが、流入部２から捕集領域１０に流れ込む流体によって濡れ、次いで、流体メニスカスが移行領域３に沿って、その始部から終部まで移動し、徐々に毛細管ストップ１１を捕集領域１０に高め排出部４を濡らし、したがって、流体は流体排出システムにも入り込むことが可能となる。同時に移行領域３にある、または捕集領域１０にもある空気が、排出部４を介して流体排出領域５内に入り込み、したがって、移行領域３内の捕集領域１０にも、流体排出領域５にもまったく気泡が残らない。このようにして流体排出システムの気泡のない充填が保証される。
【図面の簡単な説明】
【００５４】
【図１】図２の線Ｉ−Ｉに従う本発明に従う装置１ａの部分断面図である。
【図２】本発明に従う第１の装置１ａの図１の矢符ＩＩに従う平面図である。
【図３】本発明に従う第２の装置１ｂを通る図４の線ＩＩＩ−ＩＩＩに従う断面図である。
【図４】本発明に従う第２の装置１ｂを横切る図３の線ＩＶ−ＩＶに沿う断面図である。
【図５】本発明に従う第３の装置１ｃの斜視図である。
【図６】本発明に従う第３の装置１ｃの平面図である。
【図７】本発明に従う第３の装置１ｃを横切る図６の線ＶＩＩ−ＶＩＩに沿う断面図である。
【図８】本発明に従う第３の装置１ｃの図６の線ＶＩＩＩ−ＶＩＩＩに沿う断面図である。
【図９】本発明に従う第４の装置１ｄの斜視図である。
【図１０】本発明に従う第４の装置１ｄの平面図である。
【図１１】本発明に従う第４の装置１ｄを横切る図１０の線ＸＩ−ＸＩに沿う断面図である。
【図１２】本発明に従う第４の装置１ｄを横切る図１０の線ＸＩＩ−ＸＩＩに沿う断面図である。
【符号の説明】
【００５５】
１ａ〜１ｄ  装置
２  流入部
３  移行領域
４  排出部
５  流体排出システム
６  毛細管力が高くなった部位
７  本体部
８  蓋
９  流体輸送システム
１０  捕集領域
１１  毛細管ストップ
１２  傾斜路
【図１】
2005177754.tif 000003
【図２】
2005177754.tif 000004
【図３】
2005177754.tif 000005
【図４】
2005177754.tif 000006
【図５】
2005177754.tif 000007
【図６】
2005177754.tif 000008
【図７】
2005177754.tif 000009
【図８】
2005177754.tif 000010
【図９】
2005177754.tif 000011
【図１０】
2005177754.tif 000012
【図１１】
2005177754.tif 000013
【図１２】
2005177754.tif 000014